【事件の表示】
　特願２０１６−１８７９８７「メッセージ送信方法、メッセージ送信用プログラム、及びメッセージ送信装置」拒絶査定不服審判事件〔平成３０年　４月　５日出願公開、特開２０１８−　５５２２９、請求項の数（９）〕について、次のとおり審決する。
【結　論】
　原査定を取り消す。
　本願の発明は、特許すべきものとする。
【理　由】
第１　手続の経緯
　本願は、平成２８年９月２７日の出願であって、平成２８年１２月２６日付けで拒絶理由通知がされ、平成２９年３月１０日付けで手続補正がされ、平成２９年６月７日付けで拒絶査定（原査定）がされ、これに対し、平成２９年９月１２日に拒絶査定不服審判の請求がされ、同時に手続補正がされたものである。
第２　原査定の概要
　原査定（平成２９年９月１２日付け拒絶査定）の概要は次のとおりである。
　理由１．本願請求項１、３−６、８及び９に係る発明は、以下の引用文献１記載された発明であるから、特許法第２９条第１項第３号に該当し、特許を受けることができない。
　理由２．本願請求項１−９に係る発明は、以下の引用文献１及び２に記載された発明に基づいて、その発明の属する技術の分野における通常の知識を有する者（以下、「当業者」という。）が容易に発明できたものであるから、特許法第２９条第２項の規定により特許を受けることができない。
引用文献等一覧
　引用文献１．特開２０１４−５６３２４号公報
　引用文献２．特開２０１１−１３４０６０号公報
第３　本願発明
　本願請求項１−９に係る発明（以下、それぞれ「本願発明１」−「本願発明９」という。）は、平成２９年９月１２日付け手続補正により補正された特許請求の範囲の請求項１−９に記載された事項により特定される以下のとおりの発明であると認める。
「【請求項１】
　コンピュータが、
　メッセージ及び当該メッセージの送信先の登録を受け付ける登録ステップと、
　前記メッセージを登録したユーザを認証するためのユーザ認証情報とは別に設定された認証コードであって、自動的に作成された認証コードに基づいて、前記メッセージの送信のための認証を受け付ける認証ステップと、
　前記認証が成立した場合に、登録された前記メッセージの送信先に登録された前記メッセージを送信する送信ステップと、
を実行するメッセージ送信方法。
【請求項２】
　前記コンピュータが、前記メッセージを登録するユーザの識別子と関連付けて前記認証コードを登録する認証情報登録ステップを更に実行し、
　前記認証ステップでは、前記コンピュータは、前記ユーザの識別子及び前記認証コードに基づいて、前記メッセージの送信のための認証を受け付ける、
請求項１に記載のメッセージ送信方法。
【請求項３】
　前記認証ステップでは、前記コンピュータは、認証用メッセージを受け付け、当該受け付けた認証用メッセージと前記認証コードとを照合することによって、前記メッセージを送信するための認証が成立するか否かを判定する、
請求項１又は２に記載のメッセージ送信方法。
【請求項４】
　前記メッセージ及び前記認証用メッセージは、電子メール、ショートメッセージ、電話での通話、及び特定アプリケーション内でやりとりされるメッセージのうちのいずれかである、
請求項３に記載のメッセージ送信方法。
【請求項５】
　請求項１から４のいずれか１項に記載のメッセージ送信方法における各ステップをコンピュータに実行させるためのメッセージ送信用プログラム。
【請求項６】
　メッセージ及び当該メッセージの送信先の登録を受け付けるメッセージ登録受付部と、
　前記メッセージを登録したユーザを認証するためのユーザ認証情報とは別に設定された認証コードであって、ユーザにより任意に指定された又は自動的に作成された認証コードに基づいて、前記メッセージの送信のための認証を受け付けるメッセージ送信認証部と、
　前記認証が成立した場合に、登録された前記メッセージの送信先に登録された前記メッセージを送信するメッセージ送信部と、
を備えるメッセージ送信装置。
【請求項７】
　前記メッセージを登録するユーザの識別子と関連付けて前記認証コードを登録する認証情報登録部を更に備え、
　前記メッセージ送信認証部は、前記ユーザの識別子及び前記認証コードに基づいて、前記メッセージの送信のための認証を受け付ける、
請求項６に記載のメッセージ送信装置。
【請求項８】
　前記メッセージ送信認証部は、認証用メッセージを受け付け、当該受け付けた認証用メッセージと前記認証コードとを照合することによって、前記メッセージを送信するための認証が成立するか否かを判定する、
請求項６又は７に記載のメッセージ送信装置。
【請求項９】
　前記メッセージ及び前記認証用メッセージは、電子メール、ショートメッセージ、電話での通話、及び特定アプリケーション内でやりとりされるメッセージのうちのいずれかである、
請求項８に記載のメッセージ送信装置。」
第４　引用文献、引用発明等
１．引用文献１について
　原査定の拒絶の理由に引用された引用文献１には、図面とともに次の事項が記載されている。
「【請求項１０】
　通信端末と通信可能なサーバを用いたメッセージ配信方法であって、
　通信端末のユーザの識別情報を記憶するユーザ識別情報登録ステップと、
　上記ユーザ識別情報登録ステップにおいて記憶された第一ユーザが要求する送信メッセージ登録要求情報に基づいて、第一メッセージ情報を上記第一ユーザの識別情報と関連付けて記憶する第一メッセージ情報登録ステップと、
　上記送信メッセージ登録要求情報に基づいて、第一メッセージ情報を送信操作する第二ユーザの識別情報を上記第一ユーザの識別情報と関連付けて記憶する送信操作者情報登録ステップと、
　上記送信メッセージ登録要求情報に基づいて、上記第一メッセージ情報の送信先である複数の送信先情報を上記第一ユーザの識別情報と関連付けて記憶する送信先情報登録ステップと、
　上記第一メッセージ情報登録ステップによって記憶されている第一メッセージ情報、上記送信操作者情報登録ステップによって記憶されている第二ユーザの識別情報、及び上記送信先情報登録ステップによって記憶されている送信先情報に対するアクセスを上記第一ユーザのみに許容するアクセス制限ステップと、
　上記第二ユーザの付加情報登録要求情報に基づいて、第二メッセージ情報を上記第一メッセージと関連付けて記憶する付加情報登録ステップと、
　上記付加情報登録要求情報に基づいて、上記第一メッセージ情報に上記第二メッセージ情報を付加したメッセージ情報を作成するメッセージ作成ステップと、
　上記第二ユーザの送信要求情報に基づいて、上記メッセージ情報を上記送信先情報登録手段に記憶されている送信先に送信するメッセージ送信ステップと
を有することを特徴とするメッセージ配信方法。」
「【００６１】
＜ユーザ識別情報登録手順＞
　ユーザ識別情報登録の手順について、図２を参酌しつつ説明する。
　【００６２】
　まず、携帯用リーダライタ２は、通信端末３の有する非接触ＩＣチップと近距離無線通信を行う。これにより、携帯用リーダライタ２は、通信端末３から非接触ＩＣチップＩＤを受信する。携帯用リーダライタ２は、記憶部８に格納されているリーダライタＩＤ及び受信した非接触ＩＣチップＩＤを、記憶部８に格納されている乱数表に基づき暗号化したうえで、通信端末３に送信する。また、携帯用リーダライタ２は、これらの暗号化されたＩＤとともに、記憶部８に保存されている、サーバ４のホームページに接続するためのＵＲＬを通信端末３に送信する。
　【００６３】
　通信端末３の非接触ＩＣチップ１５は、この暗号化されたリーダライタＩＤ、暗号化された非接触ＩＣチップＩＤ及びサーバ４のホームページに接続するためのＵＲＬを受信する。そして、非接触ＩＣチップ１５は、通信端末３のブラウザを立ち上げ、サーバ４のホームページに接続するためのＵＲＬ並びに暗号化されたリーダライタＩＤ及び暗号化された非接触ＩＣチップＩＤを表示してサーバ４に接続する。
　【００６４】
　サーバ４は、これらの暗号化されたＩＤを受信する。サーバ４は、これらのＩＤを復号化して、認証結果を通信端末３に送信する。通信端末３は、この認証を受けて、サーバ４のホームページへの接続要求を行う。これに対し、サーバ４は、接続許可を行い、制御部１７により、ホームページ画面を通信端末３の表示部１１に表示させる。
　【００６５】
　通信端末３には、上記ホームページの画面を介し、ユーザ登録画面が表示される。
　【００６６】
　ユーザ登録画面は、ユーザ情報入力部及び登録部を有する。ユーザ情報入力部は、メールアドレスやニックネーム等、所定のユーザ情報を入力する入力項目を有する。登録部は、入力事項をサーバ４に送信するためのボタンである。サーバ４への登録を希望するユーザは、ユーザ情報入力部に必要事項を入力して登録部を選択することにより、ユーザの登録情報がサーバ４に送信され、サーバ４へユーザの識別情報が記憶される。
　【００６７】
　また、ユーザ情報は、通信端末３から受信したリーダライタＩＤ及び非接触ＩＣチップＩＤとが関連付けられてサーバ４へ記憶される。これにより、通信端末３とユーザの識別情報とが関連付けられる。」
「【００７０】
＜送信先登録手順＞
　次に、図３、図４及び図５を参酌しつつ、送信先登録の手順について説明する。
　【００７１】
　メニュー画面３１は、ユーザ識別情報の登録後に通信端末３の表示部１１に表示される。
　【００７２】
　また、メニュー画面３１は、既にユーザの識別情報を登録した第一ユーザが、通信端末３と携帯用リーダライタ２とを近距離無線通信させサーバにアクセスすることによっても表示される（図４参照）。そして、上記ユーザの識別情報登録により通信端末３のリーダライタＩＤ及び非接触ＩＣチップＩＤとユーザの識別情報とが関連付けられている情報に基づいて、サーバにアクセスしている通信端末３の非接触ＩＣチップＩＤからユーザの識別情報を識別する。なお、メニュー画面の表示の前にログイン画面を表示し、ユーザ認証を行ってユーザ識別情報を識別してもよい。
　【００７３】
　メニュー画面３１は、図３に示すように、メッセージ登録部３２及びメッセージ送信部３３を有する。なお、図３に示すメニュー画面３１は、遺言メッセージ（エンディングメッセージ）を送信するためのメニュー画面の一例である。
　【００７４】
　メッセージ登録部３２は、通信端末３のユーザ（第一ユーザ）に選択されることにより、通信端末３からサーバ４に送信情報登録要求を行う（図４参照）。これに対し、サーバ４は、制御部１７により、送信先登録画面３４を通信端末３の表示部１１に表示させる。
　【００７５】
　送信先登録画面３４は、図５に示すように、送信先選択部３５及び登録部３６を有する。なお、図５に示す送信先登録画面３４は、遺言メッセージ（エンディングメッセージ）の送信先情報を登録するための画面の一例である。
　【００７６】
　送信先選択部３５は、メッセージの送信先として指定可能な複数のユーザの識別情報がリスト表示される送信先候補リストが表示される。この送信先候補リストは、ユーザ識別情報登録により記憶された複数のユーザのユーザ識別情報、例えばユーザのニックネームが表示される。また、表示される複数のユーザ識別情報は、特に限定されないが、通信端末３が近距離通信した携帯用リーダライタ２の所有者のユーザの識別情報を表示することができる。なお、表示されるユーザの識別情報は、送信先登録画面３４が表示されている通信端末３の第一ユーザの識別情報は表示されない。」
「【００７９】
＜第一メッセージ情報登録手順＞
　次に、図４及び図６を参酌しつつ、第一メッセージ情報登録の手順について説明する。
【００８０】
　第一メッセージ登録画面３７は、図６に示すように、メッセージ入力部３８及び登録部３９を有する。なお、図６に示す第一メッセージ登録画面３７は、遺言メッセージ（エンディングメッセージ）を登録するための画面の一例である。
【００８１】
　メッセージ入力部３８は、通信端末３の第一ユーザが送信したいメッセージが入力される。メッセージ入力部３８は、具体的には、送信したいメッセージのタイトルとそのメッセージの入力項目を有し、例えば図６に示すように、遺言情報に関するメッセージのタイトルとそのメッセージを入力するための項目を有することができる。
【００８２】
　登録部３９は、通信端末３のユーザに選択されることにより、メッセージ入力部３８に入力されたメッセージ（第一メッセージ情報）が、送信メッセージ登録要求情報として送信される（図４参照）。これに対して、サーバ４は、制御部１７により、受信した第一メッセージ情報を通信端末３の第一ユーザの識別情報に関連付けて記憶部１８に格納する。そして、サーバ４は、制御部１７により、送信操作者登録画面４０を通信端末３の表示部１１に表示させる。
【００８３】
＜送信操作者情報登録手順＞
　次に、図４及び図７を参酌しつつ、送信操作者情報登録の手順について説明する。
　【００８４】
　送信操作者登録画面４０は、図７に示すように、送信操作者選択部４１及び登録部４２を有する。なお、図７に示す送信操作者登録画面４０は、遺言メッセージ（エンディングメッセージ）を送信する送信者（喪主）を登録するための画面の一例である。
　【００８５】
　送信操作者選択部４１は、メッセージの送信操作者として指定可能な複数のユーザの識別情報がリスト表示される送信操作者候補リストが表示される。このリストは、ユーザ識別情報登録により記憶された通信端末３の複数のユーザの識別情報、例えばユーザのニックネームが表示される。また、表示される複数のユーザの識別情報は、特に限定されないが、通信端末３が近距離通信した携帯用リーダライタ２の所有者のユーザの識別情報を表示することができる。なお、表示されるユーザの識別情報は、送信操作者登録画面４０が表示されている通信端末３の第一ユーザの識別情報は表示されない。
　【００８６】
　また、送信操作者選択部４１の送信操作者候補リストは、表示されるそれぞれのユーザの識別情報のニックネームの隣にチェックボックスが表示されてもよい。このチェックボックスを選択することによって送信操作者を選択することができる。
　【００８７】
　登録部４２は、通信端末３のユーザに選択されることにより、送信操作者登録部４１において選択されたユーザの情報（送信操作者情報）を、送信メッセージ登録要求情報として生成し、通信端末３からサーバ４に送信する（図４参照）。これに対して、サーバ４は、制御部１７により、受信した送信操作者情報を通信端末３のユーザ（第一ユーザ）の識別情報に関連付けて記憶部１８に格納する。
　【００８８】
　また、サーバ４は、制御部１７により、送信操作者として登録されたユーザのメールアドレスに対して、通信端末３の第一ユーザのメッセージの送信操作者として登録された旨のメールを送信する。なお、送信操作者として登録されたユーザのメールアドレスは、送信操作者として登録されたユーザが、ユーザの識別情報登録により登録したメールアドレスを用いることができる。
　【００８９】
　さらに、サーバ４は、制御部１７により、第二ユーザが送信操作者に指定されたことに対して拒否する情報に基づいて、第二ユーザを送信操作者に指定した第一ユーザに対して第二ユーザが送信操作者となることを拒否する旨のメールを送信する。なお、第一ユーザのメールアドレスは、ユーザの識別情報登録により登録したメールアドレスを用いることができる。また、第二ユーザが送信操作者に指定されたことに対して拒否する場合においては、サーバ４は、制御部１１により、拒否情報を送信するための拒否要求画面を通信端末３に表示させて、この拒否要求画面の入力及び送信操作に基づいて拒否情報を受信してもよく、第二ユーザが所定のメールアドレスに定型の拒否要求のメールを送信することにより拒否情報を受信してもよい。
　【００９０】
　また、サーバ４は、制御部１７により、第二ユーザが送信操作者に指定されたことに対して承認した情報に基づいて、第二ユーザを送信操作者に指定した第一ユーザに対して第二ユーザが送信操作者となることを承認した旨のメールを送信する。これにより、第一ユーザは、第二ユーザの送信操作することの承認を知ることができるため、安心することができる。なお、第一ユーザのメールアドレスは、ユーザの識別情報登録により登録したメールアドレスを用いることができる。また、第二ユーザが送信操作者に指定されたことに対して承認する場合においては、サーバ４は、制御部１１により、承認情報を送信するための承認画面を通信端末３に表示させて、この承認画面の入力及び送信操作に基づいて承認情報を受信してもよく、第二ユーザが所定のメールアドレスに定型の承認メールを送信することにより承認情報を受信してもよい。
【００９１】
　また、サーバ４は、制御部１７により、記憶部１８に格納された送信先情報、第一メッセージ情報及び送信操作者情報に対して、第一ユーザのみにアクセスを許容する設定を行う。これにより、許容されたユーザ以外の通信端末３からはこれら情報にアクセスすることができなくなる。つまり、送信先情報、第一メッセージ情報及び送信操作者情報を登録した第一ユーザのみが、これらの情報にアクセスすることができる。」
「【００９９】
＜第二メッセージ情報の登録及びメッセージ送信の手順＞
　次に、図９、図１０及び図１１を参酌しつつ、第二メッセージの登録及びメッセージ送信の手順について説明する。
【０１００】
　通信端末３の第二ユーザによって上述の処理選択画面の第二メッセージ登録部が選択されることにより、通信端末３からサーバに第二メッセージ登録要求が行われる（図９参照）。これに対し、サーバ４は、制御部１７により、第二メッセージ登録画面４３を通信端末３の表示部１１に表示させる。
【０１０１】
　第二メッセージ登録画面４３は、メッセージ送信操作者がメッセージを追加するための画面である。第二メッセージ登録画面４３は、図１０に示すように、メッセージ入力部４４及び登録部４５を有する。なお、図１０に示す第二メッセージ登録画面４３は、葬儀に関する情報を登録するための画面の一例である。
【０１０２】
　メッセージ入力部４４は、メッセージ送信操作者が追加したいメッセージが入力される。メッセージ入力部４４は、具体的には、例えば、葬儀に関する情報が入力される項目を有することができる。
【０１０３】
　登録部４５は、通信端末３の第二ユーザに選択されることにより、メッセージ入力部４４に入力されたメッセージ（第二メッセージ情報）を付加情報登録要求情報としてサーバ４に送信する（図９参照）。これに対して、サーバ４は、制御部１７により、受信した第二メッセージ情報を通信端末３の第二ユーザが送信操作者として記憶されている送信操作者情報に送信操作者情報登録手段２３により関連付けられているユーザ（第一ユーザ）の識別情報を取得し、この第一ユーザの識別情報に第一メッセージ情報登録手段２２により関連付けられている第一メッセージ情報とを関連付けて記憶部１８に格納する。
【０１０４】
　そして、サーバ４は、制御部１７により、第二メッセージ情報に上記第一メッセージ情報とが関連付けられて記憶された後、この第一メッセージ情報に上記第二メッセージ情報を付加しメッセージ情報を作成する。そして、第一メッセージ４６及び第二メッセージ４７から構成されるメッセージ情報を上記第一ユーザの識別情報に送信先登録手段２２により関連付けられている送信先に送信する（図１１参照）。」
　以上の記載、特に、請求項１０の記載のよれば、引用文献１には、以下の発明（以下、「引用発明」という。）が記載されている。
〈引用発明〉
「通信端末と通信可能なサーバを用いたメッセージ配信方法であって、
　通信端末のユーザの識別情報を記憶するユーザ識別情報登録ステップと、
　上記ユーザ識別情報登録ステップにおいて記憶された第一ユーザが要求する送信メッセージ登録要求情報に基づいて、第一メッセージ情報を上記第一ユーザの識別情報と関連付けて記憶する第一メッセージ情報登録ステップと、
　上記送信メッセージ登録要求情報に基づいて、第一メッセージ情報を送信操作する第二ユーザの識別情報を上記第一ユーザの識別情報と関連付けて記憶する送信操作者情報登録ステップと、
　上記送信メッセージ登録要求情報に基づいて、上記第一メッセージ情報の送信先である複数の送信先情報を上記第一ユーザの識別情報と関連付けて記憶する送信先情報登録ステップと、
　上記第一メッセージ情報登録ステップによって記憶されている第一メッセージ情報、上記送信操作者情報登録ステップによって記憶されている第二ユーザの識別情報、及び上記送信先情報登録ステップによって記憶されている送信先情報に対するアクセスを上記第一ユーザのみに許容するアクセス制限ステップと、
　上記第二ユーザの付加情報登録要求情報に基づいて、第二メッセージ情報を上記第一メッセージと関連付けて記憶する付加情報登録ステップと、
　上記付加情報登録要求情報に基づいて、上記第一メッセージ情報に上記第二メッセージ情報を付加したメッセージ情報を作成するメッセージ作成ステップと、
　上記第二ユーザの送信要求情報に基づいて、上記メッセージ情報を上記送信先情報登録手段に記憶されている送信先に送信するメッセージ送信ステップと
を有することを特徴とするメッセージ配信方法。」
２．引用文献２について
　また、原査定の拒絶の理由に引用された上記引用文献２には、以下の事項が記載されている。
「【課題】
　簡便かつ確実に特定の者の死亡を確認した上で故人が生前に残したメッセージを所定の者に通知するメッセージ送信サーバと方法並びにプログラムを提供する。
【解決手段】
　第１端末（２）から受信した登録メッセージを第２端末（４）から受信した送信依頼に基づいて第３端末（６）に送信するサーバ（１）であって、第１端末から受信した登録メッセージを記憶するための登録メッセージ記憶部と、第１端末に事前メールを配信する配信部と、事前メールの第１端末への配信状況を記憶する配信状況記憶部と、第２端末から送信依頼を受信する送信依頼受信部と、登録メッセージ記憶部に記憶されている登録メッセージを第３端末に送信する登録メッセージ送信部とを有してなり、登録メッセージ送信部は、送信依頼を受信したとき配信状況記憶部に記憶されている配信状況を参照して登録メッセージを第３端末に送信するか否かを判定する。」（【要約】の欄）
「【００２４】
（登録処理について）
　図３は、登録処理（Ｓ１）の例を示すシーケンス図である。また、図４は、登録処理にける本サーバ１の動作の例を示すフローチャートである。図３と図４で同じ符号を付した処理は、同一の処理を示す（以下、同様。）。
　【００２５】
　登録処理とは、登録情報を登録者から受け付ける処理である。登録情報とは、後述する方法により、本サーバ１が登録者の登録したメッセージ（登録メッセージ）を登録者が指定した送信先に送信するために必要な情報である。
　【００２６】
　図５は、登録者に登録情報を指定させるための登録画面の例を示す模式図である。ここで、登録画面Ｐ１および以下の説明中の画面は、いわゆるＷＥＢページであり、本サーバ１が生成あるいは本サーバ１内に記憶されていて、登録者端末２など本サーバ１と通信ネットワークを介して接続している端末からの要求に応じて送信する。
　【００２７】
　画面Ｐ１には、登録者名、登録者のメールアドレス（登録者アドレス）、送信先名、送信先のメールアドレス（送信先アドレス）、メッセージが指定可能に構成されていて、ここでは、登録者名として「Ａ」、登録者のメールアドレスとして「ＭＡ」、送信先名として「Ｂ」、送信先のメールアドレスとして「ＭＢ」、登録者が送信先に通知したいメッセージとして「Ｂさん、いつも・・・」が指定（入力）されていることを示している。画面Ｐ１には「送信」と表示されたボタン画像Ｂ１が表示されていて、このボタン画像Ｂ１が選択されると、画面Ｐ１内に指定されている登録情報が本サーバ１に送信されるように構成されている。
　【００２８】
　図３，４に戻る。
　まず、登録者端末２から本サーバ１に対して登録画面要求が送信され（Ｓ１０１）、本サーバ１は登録画面要求を受信すると（Ｓ１０２）、画面Ｐ１を登録者端末２に送信する（Ｓ１０３）。登録者端末２は、画面Ｐ１を受信すると（Ｓ１０４）、登録者端末２のディスプレイに画面Ｐ１を表示する（Ｓ１０５）。登録者が画面Ｐ１に登録情報を入力して（Ｓ１０６）、画面Ｐ１のボタン画像Ｂ１を登録者端末２の入力手段で選択すると、入力された登録情報が登録者端末２から本サーバ１に送信される（Ｓ１０７）。本サーバ１は、登録情報を受信すると（Ｓ１０８）、受信した登録情報を記憶部１６に記憶する（Ｓ１０９）。
　【００２９】
　図６は、記憶部１６に記憶されている登録情報の例を示す模式図である。本サーバ１は、登録情報を登録者端末２から受信すると、登録者を特定するための識別子「会員ＩＤ」を採番して、受信した登録情報と関連付けて記憶部１６に記憶する。図６には、登録者Ａさんの会員ＩＤとして「１」が付与されていることを示している。また、登録者Ａさんは、２名の送信先ＢさんとＣさんのそれぞれ宛のメッセージを登録していることを示している。」
「【００４１】
（送信依頼受付処理について）
　図１３は、送信依頼受付処理（Ｓ３）の例を示すシーケンス図である。また、図１４は、送信依頼受付処理における本サーバ１の動作の例を示すフローチャートである。
　【００４２】
　送信依頼受付処理とは、登録者の死後、本サーバ１を用いたサービス事業者から登録者に配布されていた登録カードを発見した登録者の遺族から、登録メッセージの送信依頼を本サーバ１が受信して、登録メッセージを送信するか否かを判定する処理である。
　【００４３】
　図１５は、登録カードの例を示す模式図である。カードＣ１には、このカードの発見者に対して、本サーバ１にアクセスして送信依頼画面から登録者が生前に登録しておいた登録メッセージの送信依頼をすることを促す説明文と共に、登録者名と会員ＩＤとが記載されている。登録者は、例えば、生前、カードＣ１を自身の財布などに入れて保管し、自分の死後、登録者の身の回りの整理をする遺族がカードＣ１を発見し易いようにしておく。
　【００４４】
　図１６は、送信依頼画面の例を示す模式図である。画面Ｐ２には、「登録者名」「会員ＩＤ」「あなた（カードＣ１を発見して本サーバ１にアクセスした遺族）の名前」「あなたのアドレス」が指定可能に構成されていて、ここでは、「登録者名」として「Ａ」、「会員ＩＤ」として「１」、「あなたの名前」として「Ｘ」、「あなたのアドレス」として「ＭＸ」が指定されていることを示している。画面Ｐ２には「送信」と表示されたボタン画像Ｂ２が表示されていて、このボタン画像Ｂ２が選択されると、画面Ｐ２内に指定されている送信依頼情報が本サーバ１に送信されるように構成されている。
　【００４５】
　図１３，１４に戻る。
　遺族がカードＣ１を発見すると（Ｓ３００）、カードＣ１に記載されている情報に基づいて本サーバ１にアクセスして送信依頼画面要求を送信する（Ｓ３０１）。本サーバ１は、遺族端末４から送信依頼画面要求を受信すると（Ｓ３０２）、遺族端末４に画面Ｐ２を送信する（Ｓ３０３）。遺族端末４は、本サーバ１から画面Ｐ２を受信すると（Ｓ３０４）、遺族端末４のディスプレイに画面Ｐ２を表示して遺族に送信依頼情報を入力させ（Ｓ３０５）、入力された送信依頼情報を本サーバ１に送信する（Ｓ３０６）。本サーバ１は、遺族端末４から送信依頼情報を受信すると（Ｓ３０７）、登録情報と配信記録を確認する。
　【００４６】
　ここで、登録情報の確認は、遺族端末４から受信した送信依頼情報に含まれる登録者名と会員ＩＤとの組み合わせが記憶部１６に記憶されている登録情報（図６参照）と合致するか否か、つまり、送信依頼情報に含まれている登録者名と会員ＩＤとが関連付けて記憶部１６に記憶されているか否かを判定することを指す。また、配信記録の確認は、遺族端末４から受信した送信依頼情報に含まれる会員ＩＤに基づいて配信状況を参照し、最新の配信状況が配信失敗（「−」）であるか否かを判定することを指す。登録情報と配信記録の確認の結果、送信依頼情報に含まれている登録者名と会員ＩＤとの組み合わせが記憶部１６に記憶されている登録情報と合致していて、かつ、最新の配信状況が配信失敗であったときにのみ、本サーバ１は、登録メッセージの送信に向けて送信依頼受付処理を続行する。一方、登録情報と配信記録の確認の結果、送信依頼情報に含まれている登録者名と会員ＩＤとの組み合わせが記憶部１６に記憶されている登録情報と合致せず、または、最新の配信状況が配信失敗でなかった（配信成功であった）ときは、本サーバ１は、送信依頼受付処理を中断して、配信記録更新処理（Ｓ２）に戻る。
　【００４７】
　なお、登録情報の確認において、送信依頼情報に含まれる登録者名と会員ＩＤと遺族の名前の組み合わせを認証するようにしてもよい。すなわち、例えば、登録者に送信依頼を行う者の名前を登録者情報に含めて、登録者に生前、図５に示した画面Ｐ１で送信依頼を行う者の名前（遺族の名前）を指定させて、記憶部１６に記憶しておいてもよい。」
第５　対比・判断
１．本願発明１について
（１）対比
　本願発明１と引用発明とを対比する。
　引用発明の「メッセージ配信方法」は、「メッセージ送信方法」ともいえるから、本願発明１と引用発明は、「メッセージ送信方法」である点で一致する。
　引用発明の「第一メッセージ情報を上記第一ユーザの識別情報と関連付けて記憶する第一メッセージ情報登録ステップ」及び「上記第一メッセージ情報の送信先である複数の送信先情報を上記第一ユーザの識別情報と関連付けて記憶する送信先情報登録ステップ」は、第一メッセージ情報とその送信先情報を登録するステップであるから、本願発明１の「メッセージ及び当該メッセージの送信先の登録を受け付ける登録ステップ」に相当し、両者は、「メッセージ及び当該メッセージの送信先の登録を受け付ける登録ステップ」を有する点で一致する。
　引用発明の「付加情報登録要求情報に基づいて、上記第一メッセージ情報に上記第二メッセージ情報を付加したメッセージ情報を作成するメッセージ作成ステップと、上記第二ユーザの送信要求情報に基づいて、上記メッセージ情報を上記送信先情報登録手段に記憶されている送信先に送信するメッセージ送信ステップ」は、第二メッセージ情報を付加した上記第一メッセージ情報を登録送信先に送信するステップであるから、本願発明１の「登録された前記メッセージの送信先に登録された前記メッセージを送信する送信ステップ」に相当し、両者は、「登録された前記メッセージの送信先に登録された前記メッセージを送信する送信ステップ」を有する点で一致する。
　引用発明では、各ステップは「サーバ」により実行され、該サーバがコンピュータであることは明らかであるから、本願発明１と引用発明とは、「コンピュータが」各ステップを「実行する」点で一致する。
　したがって、本願発明１と引用発明との間には、次の一致点、相違点があるといえる。
（一致点）
「コンピュータが、
　メッセージ及び当該メッセージの送信先の登録を受け付ける登録ステップと、
　登録された前記メッセージの送信先に登録された前記メッセージを送信する送信ステップと、
を実行するメッセージ送信方法。」
（相違点）
　本願発明１では、「コンピュータ」が、「前記メッセージを登録したユーザを認証するためのユーザ認証情報とは別に設定された認証コードであって、自動的に作成された認証コードに基づいて、前記メッセージの送信のための認証を受け付ける認証ステップと、
　前記認証が成立した場合に、登録された前記メッセージの送信先に登録された前記メッセージを送信する送信ステップと、」を実行するのに対し、
　引用発明では、「コンピュータ」が、「登録された前記メッセージの送信先に登録された前記メッセージを送信する送信ステップ」を実行するとはいえるものの、
「前記メッセージを登録したユーザを認証するためのユーザ認証情報とは別に設定された認証コードであって、自動的に作成された認証コードに基づいて、前記メッセージの送信のための認証を受け付ける認証ステップと、
　前記認証が成立した場合に、登録された前記メッセージの送信先に登録された前記メッセージを送信する送信ステップと、」を実行するものではない点。
（２）相違点について
　上記相違点について検討する。
　引用発明は、「送信メッセージ登録要求情報に基づいて、第一メッセージ情報を送信操作する第二ユーザの識別情報を上記第一ユーザの識別情報と関連付けて記憶する送信操作者情報登録ステップ」を実行し、「上記第二ユーザの送信要求情報に基づいて、上記メッセージ情報を上記送信先情報登録手段に記憶されている送信先に送信する」ものである。換言すれば、送信メッセージ登録要求のときに、送信操作者である第二ユーザの識別情報を登録しておき、該識別情報により識別される第二ユーザの送信要求情報に基づいて、メッセージが送信されるものであって、第二ユーザの識別情報は、第二ユーザを特定するための識別情報であり、メッセージの送信のための認証に用いる自動的に作成された認証コードではなく、引用発明において、第二ユーザを特定するための識別情報をメッセージの送信のための認証に用いる自動的に作成された認証コードに置き換えること、あるいは、メッセージの送信のための認証に用いる自動的に作成された認証コードを付加することが容易に想到し得るといえる理由は、引用文献１、引用文献２のいずれにも見当たらず、本願発明１の上記認証コードが周知技術であるともいえない。
　したがって、本願発明１は、引用発明及び引用文献２に記載された技術事項に基づいて当業者が容易に発明をすることができたものであるということはできない。
２．本願発明２−５について
　本願発明２−５は、本願発明１の上記相違点に係る発明特定事項と同一の「前記メッセージを登録したユーザを認証するためのユーザ認証情報とは別に設定された認証コードであって、自動的に作成された認証コードに基づいて、前記メッセージの送信のための認証を受け付ける認証ステップと、前記認証が成立した場合に、登録された前記メッセージの送信先に登録された前記メッセージを送信する送信ステップと、を実行する」との発明特定事項を有するものであるから、本願発明１と同じ理由により、本願発明２−５は、引用発明及び引用文献２に記載された技術事項に基づいて当業者が容易に発明をすることができたものであるということはできない。
３．本願発明６について
　本願発明６は、メッセージ送信方法の発明である本願発明１と同様の内容をメッセージ送信装置として捉え、さらに、本願発明１の「自動的に作成された認証コード」を「ユーザにより任意に指定された又は自動的に作成された認証コード」としたものである。
　そうすると、上記「１．（２）相違点について」で述べたのと同様の検討により、引用文献１に記載された、第二ユーザの識別情報は、第二ユーザを特定するための識別情報であり、メッセージの送信のための認証に用いる、ユーザにより任意に指定された又は自動的に作成された認証コードではなく、引用文献１に記載されたものにおいて、第二ユーザを特定するための識別情報を、メッセージの送信のための認証に用いる、ユーザにより任意に指定された又は自動的に作成された認証コードに置き換えること、あるいは、メッセージの送信のための認証に用いる、ユーザにより任意に指定された又は自動的に作成された認証コードを付加することが容易に想到し得るといえる理由は、引用文献１、引用文献２のいずれにも見当たらず、本願発明６の上記認証コードが周知技術であるともいえないから、本願発明１と同様の理由により、本願発明６は、引用文献１に記載された発明及び引用文献２に記載された技術事項に基づいて当業者が容易に発明をすることができたものであるということはできない。
４．本願発明７−９について
　本願発明７−９は、本願発明６の発明特定事項と同一の「前記メッセージを登録したユーザを認証するためのユーザ認証情報とは別に設定された認証コードであって、ユーザにより任意に指定された又は自動的に作成された認証コードに基づいて、前記メッセージの送信のための認証を受け付けるメッセージ送信認証部と、前記認証が成立した場合に、登録された前記メッセージの送信先に登録された前記メッセージを送信するメッセージ送信部と、を備える」との発明特定事項を有するものであるから、本願発明６と同じ理由により、本願発明７−９は、引用文献１に記載された発明及び引用文献２に記載された技術事項に基づいて当業者が容易に発明をすることができたものであるということはできない。
第６　原査定について
　上述のとおりであるから、本願発明１、３−６、８及び９は、引用文献１記載された発明であるということはできないし、本願発明１−９は、引用文献１に記載された発明及び引用文献２に記載された技術事項に基づいて当業者が容易に発明をすることができたものであるということはできない。
　したがって、原査定の理由を維持することはできない。
第７　むすび
　以上のとおり、原査定の理由によっては、本願を拒絶すべきものとすることはできない。
　また、他に本願を拒絶すべき理由を発見しない。
　よって、結論のとおり審決する。